(57)【要約】【課題】  調室内機及び空気調和機を提供することを課題とする。【解決手段】本発明は、空調室内機及び空気調和機を開示する。前記空調室内機は、ベースと水洗モジュールと止水構造とを含み、ベースには隣接する汚水ゾーンと凝縮水ゾーンが形成され、汚水ゾーンの位置が凝縮水ゾーンより高く、汚水ゾーンの底部の凝縮水ゾーンに近接する箇所に水抜き穴が設けられ、水洗モジュールがベースに取り付けられ、汚水管を備え、汚水管が汚水ゾーン内へ延び、止水構造が凝縮水ゾーンと汚水ゾーンとの間に設けられ、止水構造の上端が水洗モジュールに連結され、止水構造の下端が水抜き穴の前方へ延びることにより、水抜き穴が部分的に遮蔽される。【選択図】図３
2021517628.tif 000002
【特許請求の範囲】
【請求項１】
隣接する汚水ゾーンと凝縮水ゾーンが形成され、前記汚水ゾーンの位置が前記凝縮水ゾーンより高く、前記汚水ゾーンの底部の前記凝縮水ゾーンに近接する箇所に水抜き穴が設けられるベースと、
前記ベースに取り付けられ、汚水管を備え、前記汚水管が前記汚水ゾーン内に延びている水洗モジュールと、
前記凝縮水ゾーンと前記汚水ゾーンとの間に設けられる止水構造と、
を含む、空調室内機。
【請求項２】
前記汚水ゾーンの底部は前記凝縮水ゾーンに向かう方向において下向きに傾斜するように配置される、請求項１に記載の空調室内機。
【請求項３】
前記汚水ゾーンの底部に退避槽が凹設され、前記退避槽の前記凝縮水ゾーンに面する側に前記凝縮水ゾーンと連通する切欠部が設けられ、前記退避槽の前記凝縮水ゾーンと対向する側壁に前記空調室内機のドレンホースと連通する前記水抜き穴が設けられ、
前記止水構造が前記退避槽内に延び、前記止水構造の上端が前記水洗モジュールに連結され、前記止水構造の下端が前記水抜き穴の前方に配置されて前記水抜き穴が部分的に遮蔽される、請求項１に記載の空調室内機。
【請求項４】
前記止水構造の下端縁部の位置は、前下方に向けて前記止水構造まで延ばされたときの前記汚水ゾーンの底部の位置より低い、請求項１に記載の空調室内機。
【請求項５】
前記水洗モジュールは、水洗タンクと、前記水洗タンクの下端に取り付けられるウォーターポンプとを更に含み、前記ウォーターポンプの上端縁部が外へ延びて、水洗タンクの下端に取り外し可能に連結されるように配置される連結フランジを形成し、前記止水構造が前記連結フランジに設けられる、請求項２に記載の空調室内機。
【請求項６】
前記止水構造は、止水板と支持板とを含み、前記止水板は前記連結フランジから下方へ延びるように形成され、前記支持板は前記止水板の下端縁部から前上側に向かって前記連結フランジまで延びて連結される、請求項５に記載の空調室内機。
【請求項７】
前記止水構造は、前記ウォーターポンプと一体に配置される、請求項５に記載の空調室内機。
【請求項８】
前記汚水ゾーンの下縁部には、前上側に向かって突出する止水突縁が設けられる、請求項２に記載の空調室内機。
【請求項９】
前記止水突縁は、前記止水構造に当接する、請求項８に記載の空調室内機。
【請求項１０】
前記汚水管は、前記汚水ゾーンに面する汚水排出端部を有し、前記汚水排出端部が下向きのフレアになるように設置される、請求項１に記載の空調室内機。
【請求項１１】
前記汚水排出端部の下端面は、前記凝縮水ゾーンに向かう方向において下向きに傾斜するように配置され、前記汚水ゾーンの底部との間に隙間を有する、請求項１０に記載の空調室内機。
【請求項１２】
前記汚水排出端部の下端面の傾斜度は、前記汚水ゾーンの底部の傾斜度と一致する、請求項１１に記載の空調室内機。
【請求項１３】
隣接する汚水ゾーンと凝縮水ゾーンが形成され、前記汚水ゾーンの位置が前記凝縮水ゾーンより高く、前記汚水ゾーンの底部の前記凝縮水ゾーンに近接する箇所に水抜き穴が設けられるベースと、前記ベースに取り付けられ、汚水管を備え、前記汚水管が前記汚水ゾーン内に延びる水洗モジュールと、前記凝縮水ゾーンと前記汚水ゾーンとの間に設けられる止水構造とを含む空調室内機を含む、空気調和機。
【請求項１４】
前記汚水ゾーンの底部は前記凝縮水ゾーンに向かう方向において下向きに傾斜するように配置される、請求項１３に記載の空気調和機。
【請求項１５】
前記汚水ゾーンの底部に退避槽が凹設され、前記退避槽の前記凝縮水ゾーンに面する側に前記凝縮水ゾーンと連通する切欠部が設けられ、前記退避槽の前記凝縮水ゾーンと対向する側壁に前記空調室内機のドレンホースと連通する前記水抜き穴が設けられ、
前記止水構造が前記退避槽内に延び、前記止水構造の上端が前記水洗モジュールに連結され、前記止水構造の下端が前記水抜き穴の前方に配置されて前記水抜き穴が部分的に遮蔽される、請求項１３に記載の空気調和機。
【請求項１６】
前記止水構造の下端縁部の位置は、前下方に向けて前記止水構造まで延ばされたときの前記汚水ゾーンの底部の位置より低い、請求項１３に記載の空気調和機。
【請求項１７】
前記水洗モジュールは、水洗タンクと、前記水洗タンクの下端に取り付けられるウォーターポンプとを更に含み、前記ウォーターポンプの上端縁部が外へ延びて、水洗タンクの下端に取り外し可能に結合されるように配置される連結フランジを形成し、前記止水構造が前記連結フランジに設けられる、請求項１４に記載の空気調和機。
【請求項１８】
前記止水構造は、止水板と支持板とを含み、前記止水板は前記連結フランジから下方へ延びるように形成され、前記支持板は前記止水板の下端縁部から前上側に向かって前記連結フランジまで延びて連結される、請求項１７に記載の空気調和機。
【請求項１９】
前記止水構造は、前記ウォーターポンプと一体に配置される、請求項１４に記載の空気調和機。
【請求項２０】
前記汚水ゾーンの下縁部には、前上側に向かって突出する止水突縁が設けられ、前記止水突縁は前記止水構造に当接する、請求項１４に記載の空気調和機。
【発明の詳細な説明】
【技術分野】
【０００１】
［関連出願］
本願は、「空調室内機及び空気調和機」と題し、２０１９年３月３日に出願された、中国特許出願番号第２０１９２０２６８０７１．８号及び中国特許出願番号第２０１９１０１５８１９５．５号の優先権を主張し、その全内容は、引用により本明細書に組み込まれる。
【０００２】
本発明は、空調技術分野に関し、特に、空調室内機及び空気調和機に関する。
【背景技術】
【０００３】
本明細書の記述は、単に本願に関連する背景情報を提供するものであり、必ずしも先行技術を構成するものではない。現在、人々の生活の質の向上に伴い、利用者はエアコンを運転する際の健康上の問題に対し益々重視されるようになり、例えば、エアコン付きの部屋に屋外の新鮮な空気を取り入れることができる外気導入装置を備えた空気調和機が登場している。さらに、エアコン運転中に、エアコンの健康に深刻な影響を及ぼすもう一つの問題はフィルタの掃除である。この問題に対応するため、業界ではフィルタを自動的に洗浄できる水洗モジュールを備えたエアコンを設計し、水洗モジュールは、エアコン運転中に生成された凝縮水を利用してフィルタを洗浄し、洗浄後の汚水が汚水管を通り、さらに汚水管の下の汚水ゾーンを通って、最後にドレンパンに連通するドレンホースから排出される。しかしながら、凝縮水を貯留する凝縮水ゾーンもドレンホースに連通し、かつ凝縮水ゾーンが通常汚水ゾーンに隣接して配置されているため、水洗モジュールが汚水を排出する時、汚水が極めて容易に凝縮水ゾーン内に入り、それによって凝縮水が汚染されてしまい、フィルタの洗浄効果に極めて大きく影響している。
【発明の概要】
【発明が解決しようとする課題】
【０００４】
本発明は、水洗モジュールから排出される汚水が凝縮水ゾーン内に入るのを防止できる空調室内機を提供することを目的とする。
【課題を解決するための手段】
【０００５】
上記目的を達成するため、本発明に係る空調室内機は、ベースと水洗モジュールと止水構造とを含み、前記ベースには隣接する汚水ゾーンと凝縮水ゾーンが形成され、前記汚水ゾーンの位置が前記凝縮水ゾーンより高く、前記汚水ゾーンの底部の前記凝縮水ゾーンに近接する箇所に水抜き穴が設けられ、水洗モジュールが前記ベースに取り付けられ、汚水管を備え、前記汚水管が前記汚水ゾーン内へ延び、止水構造が前記凝縮水ゾーンと前記汚水ゾーンとの間に設けられる。
【０００６】
一実施形態では、前記汚水ゾーンの底部は前記凝縮水ゾーンに向かう方向において下向きに傾斜するように配置される。
【０００７】
一実施形態では、前記汚水ゾーンの底部に退避槽が凹設され、前記退避槽の前記凝縮水ゾーンに面する側に前記凝縮水ゾーンと連通する切欠部が設けられ、前記退避槽の前記凝縮水ゾーンと対向する側壁に前記空調室内機のドレンホースと連通する前記水抜き穴が設けられ、前記止水構造が前記退避槽内へ延び、前記止水構造の上端が前記水洗モジュールに連結され、前記止水構造の下端が前記水抜き穴の前方に配置されて前記水抜き穴が部分的に遮蔽される。
【０００８】
一実施形態では、前記止水構造の下端縁部の位置は、前下方に向けて前記止水構造まで延ばされた前記汚水ゾーンの底部の位置より低い。
【０００９】
一実施形態では、前記水洗モジュールは、水洗タンクと、前記水洗タンクの下端に取り付けられるウォーターポンプとを更に含み、前記ウォーターポンプの上端縁部が外へ延びて、水洗タンクの下端に取り外し可能に連結されるように配置される連結フランジを形成し、前記止水構造が前記連結フランジに設けられる。
【００１０】
一実施形態では、前記止水構造は、止水板と支持板とを含み、前記止水板は前記連結フランジから下方へ延びるように形成され、前記支持板は前記止水板の下端縁部から前上側に向かって前記連結フランジまで延びて連結される。
【００１１】
一実施形態では、前記止水構造は、前記ウォーターポンプと一体に配置される。
【００１２】
一実施形態では、前記汚水ゾーンの下縁部には、前上側に向かって突出する止水突縁が設けられる。
【００１３】
一実施形態では、前記止水突縁は、前記止水構造に当接する。
【００１４】
一実施形態では、前記汚水管は、前記汚水ゾーンに面する汚水排出端部を有し、前記汚水排出端部が下向きのフレアになるように設置される。
【００１５】
一実施形態では、前記汚水排出端部の下端面は、前記凝縮水ゾーンに向かう方向において下向きに傾斜するように配置され、前記汚水ゾーンの底部との間に隙間を有する。
【００１６】
一実施形態では、前記汚水排出端部の下端面の傾斜度は、前記汚水ゾーンの底部の傾斜度と一致する。
【００１７】
本発明は、空調室内機を含む空気調和機として更に提案され、前記空調室内機はベースと水洗モジュールと止水構造とを含み、前記ベースには隣接する汚水ゾーンと凝縮水ゾーンが形成され、前記汚水ゾーンの位置が前記凝縮水ゾーンより高く、前記汚水ゾーンの底部の前記凝縮水ゾーンに近接する箇所に水抜き穴が設けられ、水洗モジュールが前記ベースに取り付けられ、汚水管を備え、前記汚水管が前記汚水ゾーン内へ延び、止水構造が前記凝縮水ゾーンと前記汚水ゾーンとの間に設けられる。
【発明の効果】
【００１８】
本発明の技術的手段では、凝縮水ゾーンと汚水ゾーンとの間に止水構造が設けられ、止水構造の一端が水洗モジュールに接続され、他端が水抜き穴の前方の空間に延びて水抜き穴が部分的に遮蔽されるため、水洗モジュールが作動すると、高所にある汚水ゾーンから流れる汚水が止水構造によってブロックされ、水抜き穴に直接流れ込むよう導かれることで、低所にある凝縮水ゾーン内に容易に入り込まないため、汚水による凝縮水ゾーン内のきれいな凝縮水の汚染を効果的に防止できることで、フィルタの洗浄効果を確保し、エアコンの運転における健康上の問題を減らすのに役立つ。
【００１９】
以下、本発明の実施形態又は従来技術内の技術的手段を明確に説明するため、実施形態又は従来技術の説明に使用する必要がある図面を簡単に説明する。以下の図面は、本発明の幾つかの実施形態に過ぎず、当業者にとって格別の創意工夫を要すものではないとして、それら図面に示す構造に基づいてその他の図面を得ることができる。
【図面の簡単な説明】
【００２０】
【図１】本発明の一実施形態に係る空調室内機のベースと水洗モジュールが組み立てられた後の正面図である。
【図２】図１内のＳ−Ｓ方向に沿った構造の断面図である。
【図３】図２内のＡの拡大図である。
【図４】図１内のベースと水洗モジュールが組み立てられた後の一つの角度から見た構造を示す模式図である。
【図５】図１内のベースと水洗モジュールが組み立てられた後の別の角度から見た構造を示す模式図である。
【図６】図５内のＢの拡大図である。
【図７】図５内の水洗モジュールの構造を示す模式図である。
【図８】図１内のベースの一部構造を示す模式図である。
【図９】図８内のＣの拡大図である。
【発明を実施するための形態】
【００２１】
本発明の目的の達成、機能・特徴及び利点について、添付図面を基に実施形態を組み合わせて更なる説明を行う。
【００２２】
以下、本発明の実施形態の図面を組み合わせて本発明の実施形態の技術的手段について詳細に説明する。記載される実施形態は、本発明の一部の実施形態に過ぎず、全ての実施形態ではない。本発明の実施形態に基づいて当業者が格別の創意工夫を要さずに得られたその他の実施形態は、本発明の保護範囲に属する。
【００２３】
ここで言及すべき点は、本発明の実施形態において、用語「上」、「下」、「左」、「右」、「前」、「後」などが示した方位は、単に特定の姿勢（図面に示される通り）における各要素間の相対的な位置関係、運動状況等についての説明を容易にするために用いられ、図面に描かれている該特定の姿勢に変更があった場合、該方位も伴って変更される。
【００２４】
なお、本発明の実施形態において用語「第１」、「第２」は単に対象を説明するために使われており、相対的な重要性を指示又は示唆するか、或いは示された技術特徴の数を暗黙的に示すと解釈してはいけない。そこで、「第１」、「第２」が限定されている特徴は少なくとも一つのこの特徴を含むことを明示又は暗黙的に示すものである。また本発明の各実施形態の間の技術的手段は、相互に結合できるものとするが、当業者が実施できることを原則とする。技術的手段の結合に互に矛盾があった時或いは実現できない時、この種の技術的手段の結合が存在せず、本発明請求の保護範囲外とすることが認定されるべきである。
【００２５】
本発明は、空調室内機として提案される。
【００２６】
図２、図６及び図９を参照すると、本発明の好ましい実施形態では、前記空調室内機はベース１と水洗モジュール２と止水構造３とを含み、ベース１には隣接する汚水ゾーン１１と凝縮水ゾーン１２が形成され、汚水ゾーン１１の位置が凝縮水ゾーン１２より高く、汚水ゾーンの底部の凝縮水ゾーンに近接する箇所に凝縮水ゾーン１２と連通する水抜き穴１１１が設けられ、水洗モジュール２がベース１に取り付けられ、水洗タンク２１と、水洗タンク２１に連通される汚水管２２と、水洗タンク２１の下端に設けられるウォーターポンプ２３とを含み、ウォーターポンプ２３が凝縮水ゾーン１２内へ延びると共に凝縮水を汲み上げて水洗タンク２１に送り込むために用いられ、汚水管２２が汚水ゾーン１１内へ延び、水洗タンク２１内の汚水を汚水ゾーン１１に放流した後、水抜き穴１１１から排出するために用いられ、止水構造３は凝縮水ゾーン１２と汚水ゾーン１１との間に設けられる。
【００２７】
ここで言及すべき点は、本実施形態では、この空調室内機は具体的に言えば、外気導入タイプ壁掛形空調室内機であり、当然のことながら、本発明の技術的手段は、フィルタを備えた他の種類の空調室内機にも適用することができる。この空調室内機において、主な構成要素は、例えば筐体、筐体に内蔵する熱交換器（図示せず）、ファン（図示せず）、フィルタ（図示せず）といった一般的な空調室内機の構成要素以外に、外気導入装置（図示せず）も設けられる。一実施形態では、前記外気導入装置は一般的に筐体内部の一端に設けられ、外気導入装置内部で吸込室を画定し、前記吸込室が１本の外気吸込ダクトによって屋外環境に連通される。フィルタは、筐体頂部のグリル組立体（図示せず）内に設けられ、水洗モジュール２に接続され、グリル組立体が積み重ねられて取り外し可能に接続された第１グリルと第２グリルとを含み、第１グリルと第２グリルとの間に第１収容室を形成し、第２グリルと吸込仕切板との間に第２収容室を形成する。
【００２８】
ここで、水洗モジュール２は、通常回転軸（図示せず）とローラーブラシアセンブリ（図示せず）と駆動装置（図示せず）とを更に含み、駆動装置は関連部品を駆動してソフトフィルタを回転軸に巻き取ることができ、この時、フィルタに隣接して配置されたローラブラシアセンブルが回転軸に巻き取られたフィルタと接触すると共にフィルタを清掃できる。同時に、フィルタは、回転軸により回転され、一端が第２収容室内に入り、徐々に第２収容室に沿って回転軸から離れた方向に広がる。当然、回転軸が逆転すると、フィルタも第２収容室内から徐々に回転軸に巻き取られることができ、その後徐々に第１収容室内に広がることで、再度フィルタの洗浄を行える。これらの洗浄プロセスで、空気調和機によって制御して自動的に完了し、フィルタを手動で分解して洗浄する必要がなく、フィルタの洗浄プロセスも十分便利である。また、図４及び図５に示すように、水洗モジュール２は、水洗タンク２１の上端に設けられた水槽２４を更に含み、ローラブラシアセンブルが水槽２４内に少なくとも部分的に配置される。使用時、水洗タンク２１の下端にあるウォーターポンプ２３は、凝縮水ゾーン１２内に貯留されている凝縮水を水洗タンク２１内に汲み上げることで、水槽２４内にきれいな凝縮水で満たされ、ローラブラシアセンブル内のローラブラシの刷毛がフィルタと接触してフィルタから汚れを払い落とし、汚れが付着した刷毛は水槽２４内で洗浄される。その後、汚れを含んだ汚水は汚水管２２を通して、汚水管２２下方の汚水ゾーン１１内に流れ込み、更に汚水ゾーン１１と連通するドレンホース４に通って排出される。しかしながら、現在で良く見られる設計では、凝縮水が貯留されている凝縮水ゾーン１２もドレンホース４と連通しており、かつ凝縮水ゾーン１２が通常汚水ゾーン１１に隣接して配置されているため、水洗モジュール２から汚水を排出する際に、汚水が極めて凝縮水ゾーン１２内に入り易いことで、凝縮水が汚染されてしまい、フィルタの洗浄効果に極めて大きく影響してしまう。
【００２９】
本実施形態では、凝縮水ゾーン１２と汚水ゾーン１１との間に止水構造３が設けられ、止水構造３の一端が水洗モジュール２に接続され、他端が水抜き穴１１１の前方の空間に延びて水抜き穴１１１が部分的に遮蔽されるため、水洗モジュール２が作動すると、高所にある汚水ゾーン１１から流れる汚水が止水構造３によってブロックされ、水抜き穴１１１に直接流れ込むよう導かれることとなり、低所にある凝縮水ゾーン１２内に容易に入り込まないため、汚水による凝縮水ゾーン１２内のきれいな凝縮水の汚染を効果的に防止できることで、フィルタの洗浄効果を確保し、エアコンの使用における健康上の問題を減らすのに役立つ。
【００３０】
図３及び図９を参照すると、本実施形態では、汚水ゾーン１１の底部は任意選択的に前記凝縮水ゾーン１２に向かう方向において下向きに傾斜するように配置される。当然、他の実施形態では、前記汚水ゾーン１１の底部を傾斜面に配置しなくてもよいが、本実施形態では、この傾斜面の設置は、汚水管２２から排出される汚水を速やかに排出し、汚水ゾーン１１内に溜まってカビや臭気が発生し難くいため、エアコン使用時の清潔さをさらに高めるのに有益である。
【００３１】
具体的には、本実施形態では、汚水ゾーン１１の底部に退避槽１１２が凹設され、退避槽１１２の凝縮水ゾーン１２に面する側に凝縮水ゾーン１２と連通する切欠部が設けられ、退避槽１１２の凝縮水ゾーン１２と対向する側壁に空調室内機のドレンホース４と連通する水抜き穴１１１が設けられる。ここで、図２乃至図４に示すように、ドレンホース４は、一般的に汚水及び溢れた凝縮水の急速な流出を促進するために、後下側に向かって傾斜に配置される。同時に、退避槽１１２の設置により十分な空間が確保されるため、止水構造３の配置が容易になり、また汚水中の汚れが水抜き穴１１１を塞ぐのをある程度防ぐ機能が得られる。また、一実施形態では、図３、図５及び図６に示すように、止水構造３は退避槽１１２内へ延び、止水構造３の上端が水洗モジュール２に連結され、止水構造３の下端が水抜き穴１１１の前方に配置されて水抜き穴１１１が部分的に遮蔽され、かつ止水構造３の下端縁部の位置は、前下方に向けて止水構造３まで延ばされたときの汚水ゾーン１１の底部の位置より低くいため、止水構造３の下向きに流れる汚水の遮断作用をさらに強化することができる。
【００３２】
図３及び図７を参照すると、本実施形態では、ウォーターポンプ２３の上端縁部が外へ延びて、水洗タンク２１の下端に取り外し可能に連結されるように配置される連結フランジを形成される。具体的には、前記連結フランジ２３１は、その後の保守及び交換を容易にするためにネジなどによって水洗タンク２１と取り外し可能に連結することができるが、それに限定されない。また止水構造３は、具体的には止水板３１と支持板３２とを含み、止水板３１が連結フランジ２３１から下方へ延びるように形成され、支持板３２が止水板３１の下端縁部から前上側に向かって連結フランジ２３１に接続するまで延びて連結され、すなわち、図３に示すように、止水構造３は、断面が下向きの三角形状に配置されている。ただしこれに限定されるものではなく、他の実施形態では、止水構造３も止水板３１のみを有していてもよいが、本実施形態では、支持板３２が止水板３１を支持できるため、止水構造３の全体的な強度を高め、止水板３１が曲げ或いは折損により止水効果に影響を及ぼしにくい。
【００３３】
図３及び図７を参照すると、本実施形態では、止水構造３とウォーターポンプ２３は、代替的に一体に配置されることであり、射出成形時、止水構造３をウォーターポンプ２３の筐体と一緒に製造することができ、別途製造や設置することなく、かつ両者を一体に配置されるのは止水構造３とウォーターポンプ２３の連結強度をさらに高めることができる。当然、他の実施形態では、止水構造３はウォーターポンプ２３とは別に配置され、その後、ウォーターポンプ２３に取り外し可能に取り付けられてもよい。
【００３４】
図６、図８及び図９を参照すると、本実施形態では、汚水ゾーン１１の下縁部には、前上側に向かって突出する止水突縁１１３（図示せず）が設けられる。汚水ゾーン１１の位置は凝縮水ゾーン１２より高いため、止水突縁１１３は汚水が凝縮水ゾーン１２に入るのを効果的にブロックし、止水構造３と協働して汚水ゾーン１１に流入する汚水を退避槽１１２内に流入するように案内され、さらに水抜き穴１１１からドレンホース４に流れ込ませる。一実施形態では、止水突縁１１３は、止水構造３に当接して、両者が接触するところに隙間がないようにし、それにより、汚水が凝縮水ゾーン１２に入るのをさらに防止できる。また、一実施形態では、退避槽１１２及び水抜き穴１１１は、いずれも汚水ゾーン１１の空調室内機の熱交換器から離れた側に配置されており、汚水の漏れにより熱交換器等の部品に不利な影響を及ぼすことをできる限り避ける。
【００３５】
また、図３及び図７に示すように、本実施形態では、汚水管２２は、汚水ゾーン１１に面する汚水排出端部２２１を有し、前記汚水排出端部２２１が下向きのフレアになるように設置され、糸くずを含んだ汚水をよりスムーズに排出させることができる。かつ汚水排出端部２２１の下端面は、凝縮水ゾーン１２に向かう方向において下向きに傾斜するように配置され、汚水ゾーン１１の底部との間に隙間を有する。一実施形態では、汚水排出端部２２１の下端面の傾斜度は、汚水ゾーン１１の底部の傾斜度と一致するため、汚水排出端部２２１の管口部から流出する汚水の過度な飛散をできる限り防止できることで、汚水が凝縮水ゾーン１２に入るのを防止する目的を達成する。
【００３６】
本発明は、空気調和機として更に提案される。前記空気調和機は、空調室内機を含み、前記空調室内機の具体的な構造が上記実施形態を参照する。この空気調和機は以上に述べた全ての実施形態の全部技術的手段を採用するため、上記実施形態の技術的手段でもたらす全ての有利な効果を少なくとも持っているので、ここではこれ以上説明しない。
【００３７】
本発明では好ましい実施形態を前述の通り開示したが、これらは決して本発明を限定するものではなく、本発明の明細書及び添付図面を利用して均等の範囲内で各種の変更や修飾、若しくは直接的又は間接的にその他の関連の技術分野に運用されることは、本発明の特許保護範囲内に含めるものであるのは勿論である。
【図１】
2021517628.tif 000003
【図２】
2021517628.tif 000004
【図３】
2021517628.tif 000005
【図４】
2021517628.tif 000006
【図５】
2021517628.tif 000007
【図６】
2021517628.tif 000008
【図７】
2021517628.tif 000009
【図８】
2021517628.tif 000010
【図９】
2021517628.tif 000011
【国際調査報告】
2021517628.tif 000012
2021517628.tif 000013
2021517628.tif 000014
2021517628.tif 000015
2021517628.tif 000016